(57)【要約】【課題】複式格納容器において種々の注出口形状を有する内袋を使用可能とする流体用容器を提供する。【解決手段】この流体用容器１は、液体を注入可能に開口するネック部１１を有する可撓性のバッグ１２と、ネック部１１を口部７１６ａで支持してバッグ１２を収容する外側容器７１６と、外装容器７１６の口部７１６ａに挿入される液出しチューブ７２２と、液出しチューブ７２２を貫通可能な筒体をなし、筒内で液出しチューブ７２２を支持するとともに、ネック部１１の開口側に嵌合する保持部材１４と、これらを封止する封止手段とを備える。保持部材１４は、略円筒状の本体部１４ａと、その周囲から延出されるフランジ部１４ｂとを備え、本体部１４ａの貫通穴１４ｃの一端側がネック部１１の開口と連通するように密接し、フランジ部１４ｂがネック部１１の開口側と嵌合する。【選択図】図１
2010260585.tif 000002
【特許請求の範囲】
【請求項１】
液体を注入可能に開口するネック部を有する可撓性のバッグと、
前記ネック部を口部で支持して前記バッグを収容する外側容器と、
前記外側容器の口部に挿入される液出しチューブと、
前記液出しチューブを貫通可能な筒体をなし、筒内で前記液出しチューブを支持するとともに前記ネック部の開口側に嵌合する保持部材と、
前記外側容器の口部を封止する封止手段と、を備え、
前記保持部材は、略円筒状の本体部と、その周囲から延出されるフランジ部とを備え、前記本体部の貫通穴の一端側が前記ネック部の開口と連通するように密接し、前記フランジ部が前記ネック部の開口側と嵌合する流体用容器。
【請求項２】
前記保持部材の本体部の一端側と、前記ネック部の開口周囲とが、Ｏリングで密接される請求項１記載の流体用容器。
【請求項３】
前記ネック部と前記保持部材とが一体成形されている請求項１記載の流体用容器。
【請求項４】
前記外側容器の内部から前記口部に気体を通気可能な通気手段であって、前記ネック部の底部に設けられ、前記外側容器の内部と前記ネック部の内部とを連通する第１開口、及び、前記フランジ部に設けられ、前記ネック部の内外を連通する第２開口を有する請求項１から３のいずれかに記載の流体用容器。
【発明の詳細な説明】
【技術分野】
【０００１】
本発明は、薬品などの流体を貯蔵し、運搬し、かつ分配する容器に関する。特に、流体を排出するための継手を備える流体用容器に関する。
【背景技術】
【０００２】
例えば、レジスト液などの薬品は、運搬用の薬品容器に貯蔵されて製造工場に納入される。このような薬品容器は、同じ容器を繰返し使用するリンク方式と、毎回新しい容器を使用するワンウェイ方式がある。特に、高純度薬品の純度に影響を与えぬためには、ワンウェイ方式の容器を使用することが好ましいが、経済的ではないという欠点がある。近年では、前記両方式を複合した複式格納型の容器が普及している。
【０００３】
一般に、複式格納型の容器は、内側容器として、ポリオレフィン等の可撓性フィルムからなり、これに注出口が接合されたバッグ（袋体）を有している。このバッグは外側容器の中に設けられて二重容器となり、バッグから薬品を排出した後に、このバッグは廃棄され、新たなバッグに薬品が充填される。そして、流体を出し入れするための継手などの部材や、金属製などの外側容器は繰返し使用される（例えば、特許文献１、２参照）。
【先行技術文献】
【特許文献】
【０００４】
【特許文献１】特開平６−１０００８７号公報
【特許文献２】特開２００８−７１５４号公報
【発明の概要】
【発明が解決しようとする課題】
【０００５】
図５は、特許文献１による容器の頂端部の断面図であり、キャップが装着された状態図である。本願の図５は、特許文献１の図３に相当している。又、図６は、特許文献１による容器の上端の断面図であり、容器及び液体を排出するためのディスペンサが組み立てられた状態を示している。本願の図６は特許文献１の図６に相当している。
【０００６】
図５及び図６において、特許文献１による容器は、容器７及びディスペンサ８を備えている。容器７は、ポート７１８を有する外側容器７１６、流体通路７８０を有し上部にカップリング７２４が接合される汲出しチューブ（本願における液出しチューブ）７２２を備えている。カップリング７２４は、ポート（以下、取付体という）７１８に挿入されるようにチューブ７９４の上端に設けられると共に、その上端に設けられる空所７７６を有している。
【０００７】
容器７は更に、外側容器７１６の内側と空所７７６との間に気体を流通させる通気通路７８２と、取付体７１８の頂端部上に設けられる破断可能なシール７２７と、を備えている。ディスペンサ８は、シール７２７を介して空所７９０の中に挿入可能であると共に、流体通路８４４を有するプローブ８４６を備えている。又、プローブ８４６に接続され、チューブ７９４、カップリング７２４、及びプローブ８４６の流体通路８４４を介して外側容器７１６から排出される液体薬品を収容する圧縮流体通路を備えている。
【０００８】
図５及び図６において、外側容器７１６は、雄ねじが形成された口部７１６ａを有しており、口部７１６ａの中には、リテーナ７１９及び取付体７１８が取り付けられている。容器７は、可撓性フィルムからなるバッグ７２０を外側容器７１６の内部に設けている。バッグ７２０が装着された取付体７１８を外側容器７１６の口部７１６ａに取り付けた後に、バッグ７２０に液体薬品が充填される前に、好ましくは窒素又は圧縮空気によって膨張される。その後、バッグ７２０は取付体７１８を介して液体薬品で充填される。次に、汲出しチューブ７２２及び汲出しチューブ７２２のカップリング７２４を取付体７１８に挿入する。蓋７２６は、破断可能なシール７２７を取付体７１８の頂端部上に置き、空所７７６を封止する。又、容器７の蓋７２６の口部にキャップ７２８を設けて破断可能なシール７２７を覆うことができる。
【０００９】
容器７を運搬及びハンドリングの間に、可撓性のバッグ７２０の中に発生した気体は総て、汲出しチューブ７２２のカップリング７２４によって形成された気体通路を通って流れ、汲出しチューブ７２２のカップリング７２４の上端に設けられた空所７２６に溜まることができる。
【００１０】
特許文献１による容器７は、破断可能なシール７２７を備えており、ディスペンサ８に設けられるプローブ８４６がシール７２７を突き破ることにより、プローブ８４６は空所７９０の中に挿入することができる（図６参照）。
【００１１】
このような複式格納容器においては、内側容器であるバッグ７２０及び取付体７１８が通常一体化された状態で注出口付包装袋として供給される。この注出口付包装袋はワンウエイで使い捨てるために、機能や価格によって種々の構成、サイズがあり、袋部のみならず注出口の形状や大きさも微妙に異なる。このため、複式格納容器の機能を損なわない範囲で、異なる種類の注出口付包装袋を装着可能とすることが求められていた。
【００１２】
例えば、上記の特許文献２においては、図７に示すような注出口付包装袋が開示されている。図７に示すように、この注出口付包装袋であるバック１２は、少なくとも２枚以上のフィルムの外周辺にヒートシール部を形成して袋体とすると共に、このヒートシール部の所定位置であって、ヒートシール部のシール面間に、注出口であるネック部１１の一部が接合されている。しかしながら、特許文献１の構成において、内側容器として特許文献２のような注出口付包装袋は、ネック部１２の形状や大きさが異なるため、これをそのまま特許文献１の容器のバッグとして適用することができなかった。
【００１３】
本発明は、このような問題に鑑みてなされたものであり、可撓性フィルムからなるバッグを外側容器の内部に設けている複式格納型の流体用容器であって、異なる種類の注出口付包装袋を装着可能な流体用容器を提供することを目的とする。
【課題を解決するための手段】
【００１４】
本発明者らは、上記の問題を解決すべく鋭意検討した結果、注出口に形状互換性のあるアタッチメント（保持部材）を介装することにより、上記の複式格納容器の機能を損なわない範囲で、異なる種類の注出口付包装袋を装着可能とすることができることを見出し、本発明を完成するに至った。
【００１５】
すなわち、本発明は、液体を注入可能に開口するネック部を有する可撓性のバッグと、前記ネック部を口部で支持して前記バッグを収容する外側容器と、前記外側容器の口部に挿入される液出しチューブと、前記液出しチューブを貫通可能な筒体をなし、筒内で前記液出しチューブを支持するとともに前記ネック部の開口側に嵌合する保持部材と、前記外側容器の口部を封止する封止手段と、を備え、前記保持部材は、略円筒状の本体部と、その周囲から延出されるフランジ部とを備え、前記本体部の貫通穴の一端側が前記ネック部の開口と連通するように密接し、前記フランジ部が前記ネック部の開口側と嵌合する流体用容器、である。
【発明の効果】
【００１６】
本発明によれば、上記の保持部材を介装することで、異なる種類の注出口付包装袋が装着可能となる。
【図面の簡単な説明】
【００１７】
【図１】本発明の流体用容器の一実施形態を示す頂端部の断面分解組立図である。
【図２】（ａ）保持部材の平面図であり、（ｂ）保持部材のＡ−Ａ断面図である。
【図３】流体用容器の頂端部の断面図であり、キャップが装着された状態図である。
【図４】流体用容器の頂端部の断面図であり、組み立てられた流体用容器及びディスペンサが装着された状態図である。
【図５】従来技術による容器の頂端部の断面図であり、キャップが装着された状態図である。
【図６】従来技術による容器の上端の断面図であり、容器及びディスペンサが組み立てられた状態図である。
【図７】従来技術による注出口付き包装袋（バッグ）の一実施形態を示す平面図である。
【発明を実施するための形態】
【００１８】
以下、本発明の好ましい一実施形態について図面を用いて詳細に説明する。なお、上記の図５から図７と同様の構成については同様の付番を付してその説明を省略する場合がある。
【００１９】
最初に、本発明の流体用容器（以下、単に容器ともいう）の構成を説明する。図１において、容器１は、可撓性のバッグ１２と外側容器７１６を備えている。バッグ１２は、液体を注入可能に開口するネック部１１を有している。外側容器７１６はバッグ１２を収容することができる。
【００２０】
図１において、外側容器７１６は、底板と、輪帯を有する側壁と、中央が隆起した天板と（いずれも図示せず）で構成されたスチール製のドラム缶が好ましく用いられる。外側容器７１６には、口部７１６ａに雄ねじ７１６ｂが形成される。成形された一対のハンドル（図示せず）を設けることにより運搬を容易としてもよい。
【００２１】
バッグ１２は、特許文献２に記載されているものである。図７に示すように、外層フィルム１２ａと内層フィルム１２ｂとを少なくとも重ね合わせた多重フィルム１２ｃを、内層フィルム１２ｂ同士が対向するように再度重ねあわせて合計４枚とし、その四辺をヒートシールしてヒートシール部１２ｄを形成した包装袋本体と、この包装袋本体の一辺のヒートシール部１２ｄ（図７中の上辺）の内層フィルム１２ｂ間に予め熱融着されたネック部１１とを備えている。このネック部１１が注出口となる。ネック部１１の熱融着される取付部１１ｄは、断面形状が凸レンズ状で中央部に貫通穴を有する柱体であり両先端部に板状リブを備えている。
【００２２】
包装袋本体は例えばポリオレフィン等の材料で形成される可撓性フィルムの袋体であり、ネック部１１は比較的硬質の合成樹脂からなり、可撓性フィルムの袋体の端部にネック部１１が溶着されている。バッグ１２から液体を排出した後に、ネック部１１付きバッグ１２を廃棄し、新たなネック部１１付きバッグ１２が外側容器７１６に収容される。本発明による流体用容器は、外側容器が繰返し使用され、毎回新しいバッグが使用される複式格納型の容器となっている。
【００２３】
図１に示されるように、ネック部１１の開口側にはフランジ１１ａが形成され、一方、口部７１６ａの内壁には段差７１６ｃが設けられており、このフランジ１１ａが段差７１６ｃに係止することにより、ネック部１１が口部７１６ａに支持されている。バッグ１２を外側容器７１６に収容し、バッグ１２に装着されたネック部１１を外側容器７１６の口部７１６ａに支持した後に、バッグ１２は好ましくは窒素又は圧縮空気によって膨張される。その後、バッグ１２はネック部１１の開口（図示せず）から液体が注入される。
【００２４】
本発明による容器は、保持部材１４と液出しチューブ７２２を備えている。図１に示すように、保持部材１４は液出しチューブ７２２を貫通してその内部で液出しチューブ７２２を支持し、保持部材１４のフランジ部１４ａがネック部１１と嵌合している（図３参照）。
【００２５】
図２に示すように、保持部材１４は、液出しチューブ７２２の一部を貫通するが、その拡径部は貫通しない大きさの貫通穴１４ｃを有する筒状の本体部１４ａと、その周囲に周状に延出するフランジ部１４ｂとからなる。貫通穴１４ｃはその内周に段部１４ｆを挟んで拡径部と縮径部とが形成されており、この段部１４ｆによって液出しチューブ７２２が係止されて内部に落ち込むのを防止する（図３参照）。また、本体部１４ａの一端面には、Ｏリングを収容するための周状の凹部１４ｅが形成されている。
【００２６】
本体部１４ａから周状に延出するフランジ部１４ｂは、図２（ａ）に示すように平面視略円形であり、このフランジ部１４ｂは、ネック部１１の開口側の内周と略同一形状であり、これにより、ネック部１１の開口側に嵌合できる。また、フランジ部１４ｂには、２個の貫通穴１４ｄが形成されている。
【００２７】
図１において、液出しチューブ７２２は上記従来技術と同様のものであり、一端側のカップリング７２４と、その周囲を覆い他端側に延出するチューブ７９４とからなり、通常は両者が一体接合されている。チューブ７９４のカップリング７２４を覆う部分は他端側に比べて拡径している。液出しチューブ７２２の他端側は、保持部材１４の貫通穴１４ｃに挿入される。液出しチューブ７２２は、一端から他端まで延びる流体通路７８０を有し、バッグ１２内の液体が流体通路７８０を通って排出される。カップリング７２４の空所７７６付近の外周にはＯリングが配置される。
【００２８】
図３に示すように、保持部材１４は、蓋７２６が、外側容器７１６の口部７１６ａに締結されることにより、ネック部１１と共に口部７１６ａ内に保持される（図３参照）。ネック部１１の開口側と保持部材１４のフランジ部１４ｂとの嵌合によって、フランジ部１４ｂ下面と、本体部１４ａのフランジ下部外壁と、ネック部１１の内壁及び底部との間に所定の空間が形成される。しかしながら、ネック部１１の底部に設けられる複数の第１開口１１ｂと、保持部材１４に設けられる複数の第２開口１４ｄとの間に気体を通気できる（図３参照）。
【００２９】
本発明による容器は、外側容器７１６の内部から口部７１６ａに気体を通気可能な通気手段と、口部７１６ａを封止する封止手段と、を備えている。図３において通気手段は、複数の第１開口１１ｂと、複数の第２開口１４ｄと、を有している。複数の第１開口１１ｂは、ネック部１１の底部に設けられ、外側容器７１６の内部とネック部１１の内部とを連通している。
【００３０】
図１及び図３において、封止手段は、上記の従来技術と同じく口部７１６ａに備わり破断可能なシール７２７が配置される蓋７２６、及びこれに螺合するキャップ７２８である。蓋７２６は流体通路７８０からの通気を封止するＯリングを備えている。このため図３の状態で密封され輸送運搬が可能である。
【００３１】
図４に示すように、液出し時には、キャップ７２８を外してディスペンサ８を装着する。この場合も図６に示す特許文献１による容器７と同様に破断可能なシール７２７を備えており、ディスペンサ８に設けられるプローブ８４６がシール７２７を突き破ることにより、プローブ８４６は空所７９０の中に挿入することができる。この状態で液出しが可能となる。
【００３２】
以上説明したように、本発明による容器は、保持部材１４がアタッチメントの役割をなし、形状や大きさが微妙に異なるネック部に併せて作成することで、種々の袋体とネック部とが一体になった注出口付包装袋を利用できる。より具体的には、例えば、特許文献２に記載されている図７に示すようなバッグ１２が、特許文献１の容器に適用可能となり、バックの汎用性が高まるものである。
【００３３】
なお、本発明においては、上記の実施形態のようにネック部１１と保持部材１４とが別体であってもよいが、必ずしもこれに限らず、両者が一体成形されていてもよい。
【符号の説明】
【００３４】
１  容器（流体用容器）
１１  ネック部（注出口）
１１ｂ  第１開口（通気手段）
１２  バッグ
１４  保持部材
１４ａ  本体部
１４ｂ  フランジ部
１４ｃ  貫通穴
１４ｄ  第２開口（通気手段）
１４ｅ  凹部
１４ｆ  段部
７１６  外側容器
７１６ａ  口部
７２２  液出しチューブ
７８０  流体通路
７２６  蓋
７２８  キャップ
８  ディスペンサ
【図１】
2010260585.tif 000003
【図２】
2010260585.tif 000004
【図３】
2010260585.tif 000005
【図４】
2010260585.tif 000006
【図５】
2010260585.tif 000007
【図６】
2010260585.tif 000008
【図７】
2010260585.tif 000009